Podtech/llm-jp-corpus-v4-ja_patent huggingface dataset:
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
複数の異なる電極からなる電極群を複数有する同一の圧電シートを、重なり合う圧電シート同士の電極群が重ならないように面内方向に位置をずらして積層する工程と、
前記積層された圧電シートを前記電極群が含まれる様に切断する工程と、
前記切断面において前記各圧電シートの界面に設けられた内部電極を短絡する外部電極を設ける工程を有する積層圧電素子の製造方法。
【請求項２】
複数の同一の圧電シートを積層して構成される積層圧電素子または前記積層圧電素子に設けられた接触部材と接する移動体を駆動する超音波モータであって、
前記積層圧電素子の中で、少なくとも一つの層にある複数の電極が短絡されていることを特徴とする超音波モータ。
【請求項３】
前記電気的に短絡された複数の電極を共通電極とし、他の電極のうち幾つかを第一の電極群とし、残りを第二の電極群とし、前記共通電極と前記第一の電極群もしくは前記第二の電極群の何れか一方に駆動信号を加えることで前記移動体を駆動することを特徴とする請求項２記載の超音波モータ。
【請求項４】
前記電気的に短絡された複数の電極を共通電極とし、他の電極のうち幾つかを第一の電極群とし、残りを第二の電極群とし、前記共通電極と前記第一の電極群に加える駆動信号と前記共通電極と前記第二の電極群の間に加える駆動信号の位相を変えて前記移動体を駆動することを特徴とする請求項２記載の超音波モータ。
【請求項５】
厚み方向と直交する面内において二つの異なる振動モードで振動する積層圧電 素子の製造方法であって、
前記積層圧電素子は複数の電極を有する圧電シートを前記厚み方向に積層した 後で、前記厚み方向に分割して個々の積層圧電素子を取り出す工程を経たことを 特徴とする積層圧電素子の製造方法。
【請求項６】
前記二つの異なる振動モードは縦振動と屈曲振動であることを特徴とする請求 項５に記載の積層圧電素子の製造方法。
【請求項７】
前記厚み方向に分割する工程は前記積層圧電素子の本焼成前に行われることを 特徴とする請求項５又は６に記載の積層圧電素子の製造方法。
【請求項８】
請求項１又は請求項５記載の製造方法で製造された積層圧電素子を用いたことを特徴とする超音波モータ。
【請求項９】
請求項２から４のいずれか一項または請求項８に記載の超音波モータを備えたことを特徴とする電子機器。
【請求項１０】
請求項２から４のいずれか一項または請求項８に記載の超音波モータを備えたことを特徴とするステージ。
【手続補正２】
【補正対象書類名】明細書
【補正対象項目名】０００６
【補正方法】変更
【補正の内容】
【０００６】
そこで、本発明の第１の態様は、複数の異なる電極からなる電極群を複数有する同一の圧電シートを、重なり合う圧電シート同士の電極群が重ならないように面内方向に位置をずらして積層する工程と、前記積層された圧電シートを前記電極群が含まれる様に切断する工程と、前記切断面において前記各圧電シートの界面に設けられた内部電極を短絡する外部電極を設ける工程を有する積層圧電素子の製造方法にある。そしてこの積層圧電素子を用いたことを特徴とする超音波モータにある。
【手続補正３】
【補正対象書類名】明細書
【補正対象項目名】００１０
【補正方法】変更
【補正の内容】
【００１０】
本発明の第５の態様は、厚み方向と直交する面内において二つの異なる振動モードで振動する積層圧電素子の製造方法であって、前記積層圧電素子は複数の電極を有する圧電シートを前記厚み方向に積層した後で、前記厚み方向に分割して個々の積層圧電素子を取り出す工程を経たことを特徴とする積層圧電素子の製造方法にある。そしてこの積層圧電素子を用いたことを特徴とする超音波モータにある。
本発明の第６の態様は第１から５のいずれかの態様の超音波モータを備えた電子  機器にある。
【手続補正４】
【補正対象書類名】明細書
【補正対象項目名】００１１
【補正方法】変更
【補正の内容】
【００１１】
本発明の第７の態様は、第１から５のいずれかの態様の超音波モータを備えたステージにある。
【手続補正５】
【補正対象書類名】明細書
【補正対象項目名】００１２
【補正方法】変更
【補正の内容】
【００１２】
本発明によれば、複数の異なる電極からなる電極群を複数有する圧電シートを面内方向に位置をずらして積層する工程と、積層された圧電シートを電極群が含まれる様に切断する工程と、切断面において圧電シートの中で面内方向に対して同一位置にある圧電シートの電極を短絡する外部電極を設ける工程を有することにより、単一の圧電シートを用意し積層時の工夫のみで複雑な電極、即ち複数の電極を有する積層圧電素子が作製できる為、プロセスが簡単であると共に大幅な工数の低減が出来、製造コストを大幅に下げることが出来ると共に小型な積層圧電素子も作製可能となる。
また、厚み方向と直交する面内において二つの異なる振動モードで振動する積層圧電素子を製造するにあたり、積層圧電素子は複数の電極を有する圧電シートを厚み方向に積層した後で、厚み方向に分割して個々の積層圧電素子を取り出す工程を経ることにより、個々の特性ばらつきの小さな積層圧電素子が作成可能となる。
【手続補正６】
【補正対象書類名】明細書
【補正対象項目名】００３３
【補正方法】変更
【補正の内容】
【００３３】
ところが本実施の形態の様に幅方向、長手方向に分割する工程を入れることで厚み方向の寸法のばらつきに対して幅方向、長手方向の寸法のばらつきはきわめて小さく抑えることが可能となる。本焼成後に分割すれば焼成による寸法の変化の影響はなくなるし、本焼成前に分割する場合であっても例えば同一ロット内の素子の焼成による収縮率を確認し、それを考慮した寸法に分割した後で本焼成しても幅方向、長手方向には良い寸法精度を出すことが可能となるからである。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
イメージレタッチのためのコンピュータプログラムにおいて、
ユーザに指定された記憶領域に存在するイメージデータが表すイメージをサムネイルで表示するステップと、
サムネイルで表示されたイメージの優先度の設定を前記ユーザから受付けるステップと、
次の（１）〜（２）
（１）前記ユーザに設定された優先度を、その優先度が設定されたイメージ上若しくはそのイメージの近傍に表示する、
（２）サムネイルで表示したイメージを、前記ユーザに設定された優先度に基づいて配列する、
の少なくともいずれかを実行するステップと
をコンピュータに行わせるイメージレタッチプログラム。
【請求項２】
サムネイル表示された状態のイメージを、そのイメージのオリジナルのイメージデータとは別にサムネイルイメージデータとして記憶するステップと、
いったんサムネイル表示されたイメージデータのイメージを再びサムネイル表示するときは、前記イメージデータそれ自体を用いずに、前記記憶したサムネイルイメージデータを読込んでイメージをサムネイル表示するステップと
を更にコンピュータに行わせる請求項１記載のイメージレタッチプログラム。
【請求項３】
表示しているイメージ上でユーザに指定された方形のトリム範囲の外側領域をトリムして、その方形のトリム範囲の内側領域のみを取り出すトリム機能を有する、イメージレタッチのためのコンピュータプログラムであって、
前記方形のトリム範囲の縦横比の指定を前記ユーザから受付けるステップと、
前記ユーザが前記方形のトリム範囲の広さをどのように指定しても、その方形のトリム範囲の縦横比を、前記ユーザに指定された縦横比に保つように制御するステップと
をコンピュータに行わせるイメージレタッチプログラム。
【請求項４】
イメージレタッチのためのコンピュータプログラムであって、
レタッチ処理対象のイメージ上に、レタッチ処理のためのブラシの当る領域を示したカーソルを表示するステップをコンピュータに行わせるコンピュータプログラム。
【請求項５】
カラー・トーン調整機能を有する、イメージレタッチのためのコンピュータプログラムであって、
カラー調整対象の色範囲の指定をユーザから受付けるステップと、
前記ユーザに指定された色範囲に含まれる色を持った画素に対してのみカラー調整を施すステップと、
前記ユーザからの要求に応じて、カラー調整対象の色範囲の外縁における別の色範囲を指定するステップと、
前記指定された別の色範囲に含まれる色を持った画素に対し、前記カラー調整対象の色範囲から前記カラー調整対象でない色範囲に向かってカラー調整効果が連続的に減少するように、カラー調整を施すステップと
をコンピュータに行わせるイメージレタッチプログラム。
【請求項６】
カラー・トーン調整機能を有する、イメージレタッチのためのコンピュータプログラムであって、
カラー調整用フィルタのもつ複数のパラメータのうち所望のパラメータの選択をユーザから受付けるステップと、
前記ユーザに選択されたパラメータの或るパラメータ値を或る値間隔で変えていったカラー調整用フィルタをカラー・トーン調整対象イメージにそれぞれ試験的に適用した結果である複数枚の適用結果イメージを作成するステップと、
前記作成した複数枚の適用結果イメージを、それら複数枚の適用結果イメージのそれぞれに適用した各カラー調整用フィルタの各パラメータ値に基づいて、前記或るパラメータ値に従うカラー調整用フィルタを適用した適用結果イメージを中心位置に配列して表示するステップと、
前記配列して表示した複数枚の適用結果イメージの中から所望の適用結果イメージの選択を前記ユーザから受付けるステップと、
前記選択された適用結果イメージを中心に移動させて、前記複数枚の適用結果イメージを配列し直すステップと
をコンピュータに行わせるイメージレタッチプログラム。
【請求項７】
イメージレタッチのためのコンピュータプログラムにおいて、
以下の（１）及び（２）
（１）保存要求時までに実行したレタッチ処理をレタッチ前の元イメージに施した結果のイメージを保存する方法、
（２）前記レタッチ前の元イメージには変更を加えず、保存要求時までに実行したレタッチ処理に関するデータを、前記元イメージと共に保存する方法
のいずれか１つの保存方法で、レタッチ対象のイメージを保存するステップをコンピュータに行わせるイメージレタッチプログラム。
【手続補正書】
【提出日】平成21年2月13日(2009.2.13)
【手続補正１】
【補正対象書類名】特許請求の範囲
【補正対象項目名】請求項３４
【補正方法】変更
【補正の内容】
【請求項３４】
内部破損機構を含む多層共押出しフィルム構造体であって、
ａ）該多層共押出しフィルム構造体の総厚の約１％〜約１０％からなり、かつポリマーシーラント材料から形成される第１層であって、０．２５ミルの最大厚さを有し、かつ、該第１層の平均厚さに基づいて約２０％未満の厚み均一性偏差を有する第１層と、
ｂ）第１層に隣接して共押出しされる第２層であって、ポリエチレン、ＥＶＡ、イオノマー、粘着性材料及びそれらのブレンドからなる群から選択される第１ポリマー成分と、ポリブチレン、ポリプロピレン、高密度ポリエチレン及びそれらのブレンドからなる群から選択される第２ポリマー成分とを含み、かつ、約０．５ミルの最大厚さを有する第２層と、
ｃ）第１層とは反対側の第２層に隣接して共押出しされる第３層であって、エチレン、アクリル酸メチル、アクリル酸エチル、アクリル酸ｎ−ブチルの変性又は未変性ホモポリマー又はコポリマー、エチレン−酢酸ビニル、エチレン酢酸ビニルコポリマー、エチレン−α−オレフィン及びそれらのブレンドからなる群から選択される要素を含む第３層と、
ｄ）第２層とは反対側の第３層に隣接して共押出しされる第４層であって、粘着性材料及びポリオレフィンからなる群から選択される要素を含む第４層と、
ｅ）第３層とは反対側の第４層に隣接して共押出しされる第５層であって、ナイロン４，６（ポリ（テトラメチレンアジパミド））、ナイロン６（ポリカプロラクタム)、ナイロン６，６（ポリ（ヘキサメチレンアジパミド））、ナイロン６，９（ポリ（ヘキサメチレンノナンジアミド））、ナイロン６，１０（ポリ（ヘキサメチレンセバカミド））、ナイロン６，１２（ポリ（ヘキサメチレンドデカンジアミド））、ナイロン６／１２（ポリ（カプロラクタム−コ−ドデカンジアミド））、ナイロン６，６／６（ポリ（ヘキサメチレンアジパミド−コ−カプロラクタム））、ナイロン１１（ポリウンデカノラクタム）、ナイロン１２（ポリラウリルラクタム）及びそれらのアロイ又は混合物からなる群から選択されるナイロンを含む第５層と、
ｆ）第４層とは反対側の第５層に隣接して共押出しされる第６層であって、粘着性材料及び酸素ガスバリア材料からなる群から選択される要素を含む第６層と、
ｇ）第５層とは反対側の第６層に隣接した共押出しされる第７層であって、ナイロン４，６（ポリ（テトラメチレンアジパミド））、ナイロン６（ポリカプロラクタム）、ナイロン６，６（ポリ（ヘキサメチレンアジパミド））、ナイロン６，９（ポリ（ヘキサメチレンノナンジアミド））、ナイロン６，１０（ポリ（ヘキサメチレンセバカミド））、ナイロン６，１２（ポリ（ヘキサメチレンドデカンジアミド））、ナイロン６／１２（ポリ（カプロラクタム−コ−ドデカンジアミド））、ナイロン６，６／６（ポリ（ヘキサメチレンアジパミド−コ−カプロラクタム））、ナイロン１１（ポリウンデカノラクタム）、ナイロン１２（ポリラウリルラクタム）及びそれらのアロイ又は混合物からなる群から選択されるナイロンを含む第７層と、
ｈ）第６層とは反対側の第７層に隣接して共押出しされる第８層であって、エチレン、アクリル酸メチル、アクリル酸エチル、アクリル酸n−ブチル、エチレン酢酸ビニル、エチレン酢酸ビニルコポリマー、エチレン−α−オレフィンの変性及び未変性ホモポリマーもしくはコポリマー、及びそれらのブレンドからなる群から選択される粘着剤を含む第８層と、
ｉ）第７層とは反対側の第８層に隣接して共押出しされる第９層であって、ポリエチレン、ポリプロピレン、ポリエステル、ナイロン及びそれらのブレンド及びコポリマーからなる群から選択される要素を含む第９層とを含み、
該多層共押出しフィルム構造体は、約２ミル〜約１５ミルの総厚を有し、かつＡＳＴＭＤ−２７３２−９６試験法に従う測定で、９０℃で機械方向に約５％未満でかつ９０℃で横方向に約５％未満の熱収縮値を有する多層共押出しフィルム構造体。
【手続補正２】
【補正対象書類名】特許請求の範囲
【補正対象項目名】請求項３５
【補正方法】変更
【補正の内容】
【請求項３５】
前記第１層は、該フィルムの外側面総であり、約０．１５ミル未満の厚さを有する請求項３４に従う多層共押出しフィルム構造体。
【手続補正書】
【提出日】平成21年3月23日(2009.3.23)
【手続補正１】
【補正対象書類名】明細書
【補正対象項目名】００１４
【補正方法】変更
【補正の内容】
【００１４】
資材１は、１０ｇの試料１に２５％濃度の乳酸液２０ｃｃを添加して得られた反応生成物である。資材２は、６０ｇの試料２に８７％濃度の乳酸液３０ｃｃを添加して得られた反応生成物である。資材３は、３０ｇの試料３に８７％濃度の乳酸液１５ｃｃを添加して得られた反応生成物である。資材４は、６０ｇの試料３に２５％濃度の乳酸液６０ｃｃを添加して得られた反応生成物である。資材５は、１００ｇの試料５に２５％濃度の乳酸液２００ｃｃを添加して得られた反応生成物である。資材６は、１００ｇの試料４に８７％濃度の乳酸液２００ｃｃを添加して得られた反応生成物である。資材７は、１００ｇの試料４に２５％濃度の乳酸液２００ｃｃを添加して得られた反応生成物である。資材８は、１００ｇの試料６に２５％濃度の乳酸液２００ｃｃを添加して得られた反応生成物である。資材９は、１００ｇの試料７に８７％濃度の乳酸液３１５ｃｃを添加して得られた反応生成物である。資材１０は、２ｇの試料８に８７％濃度の乳酸液４ｃｃを添加して得られた反応生成物である。資材１１は、２ｇの試料８に２５％濃度の乳酸液１３．９２ｃｃを添加して得られた反応生成物である。
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
以下の式：
【化１】
2007045839.tif 000001
を有する4-(アミノ)-2-(2,6-ジオキソ(3-ピペリジル))-イソインドリン-1,3-ジオンまたはその製薬上許容可能な塩、溶媒和物もしくは立体異性体を有効成分として含有する、骨髄異形成症候群の治療用組成物。
【請求項２】
化合物が製薬上許容可能な塩である、請求項１に記載の組成物。
【請求項３】
化合物が製薬上許容可能な溶媒和物である、請求項１に記載の組成物。
【請求項４】
化合物が製薬上許容可能な立体異性体である、請求項１に記載の組成物。
【請求項５】
立体異性体が鏡像異性体的に純粋なR体である、請求項４に記載の組成物。
【請求項６】
立体異性体が鏡像異性体的に純粋なS体である、請求項４に記載の組成物。
【請求項７】
治療または予防有効成分として第2の有効成分をさらに含む、請求項１〜６のいずれか１項に記載の組成物。
【請求項８】
第2の有効成分が血球形成を改善し得るものである、請求項７に記載の組成物。
【請求項９】
第2の有効成分が、サイトカイン、造血成長因子、抗癌剤、抗生物質、プロテアソーム阻害剤、または免疫抑制剤である、請求項７に記載の組成物。
【請求項１０】
第2の有効成分が、エタネルセプト、イマチニブ、抗TNF-α抗体、インフリキシマブ、G-CSF、GM-CSF、EPO、トポテカン、ペントキシフィリン、シプロフロキサシン、イリノテカン、ビンブラスチン、デキサメタゾン、IL2、IL8、IL18、Ara-C、ビノレルビン、イソトレチノイン、13-cis-レチノイン酸、三酸化ヒ素、またはその薬理学的に有効な変異体もしくは誘導体である、請求項７に記載の組成物。
【請求項１１】
骨髄異形成症候群が、不応性貧血、環状鉄芽球を伴う不応性貧血、過剰芽球を伴う不応性貧血、急性転化を来たした過剰芽球を伴う不応性貧血、または慢性骨髄単球性白血病である、請求項１〜１０のいずれか１項に記載の組成物。
【請求項１２】
臍帯血、胎盤血、末梢血幹細胞、造血幹細胞調製物、または骨髄を患者へ移植する前、途中または後に投与される、請求項１〜１１のいずれか１項に記載の組成物。
【請求項１３】
以下の式：
【化２】
2007045839.tif 000002
を有する4-(アミノ)-2-(2,6-ジオキソ(3-ピペリジル))-イソインドリン-1,3-ジオンまたはその製薬上許容可能な塩、溶媒和物もしくは立体異性体を有効成分として含有し、化合物に基づいて1日当たり0.1〜1mg、または1日おきに5mgの量で投与される、骨髄異形成症候群の治療用組成物。
【請求項１４】
化合物が製薬上許容可能な塩である、請求項１３に記載の組成物。
【請求項１５】
化合物が製薬上許容可能な溶媒和物である、請求項１３に記載の組成物。
【請求項１６】
化合物が製薬上許容可能な立体異性体である、請求項１３に記載の組成物。
【請求項１７】
立体異性体が鏡像異性体的に純粋なR体である、請求項１６に記載の組成物。
【請求項１８】
立体異性体が鏡像異性体的に純粋なS体である、請求項１６に記載の組成物。
【請求項１９】
化合物が、以下の式：
【化３】
2007045839.tif 000003
を有する4-(アミノ)-2-(2,6-ジオキソ(3-ピペリジル))-イソインドリン-1,3-ジオンである、請求項１３に記載の組成物。
【請求項２０】
治療または予防有効成分として第2の有効成分をさらに含む、請求項１３〜１９のいずれか１項に記載の組成物。
【請求項２１】
第2の有効成分が血球形成を改善し得るものである、請求項２０に記載の組成物。
【請求項２２】
第2の有効成分が、サイトカイン、造血成長因子、抗癌剤、抗生物質、プロテアソーム阻害剤、または免疫抑制剤である、請求項２０に記載の組成物。
【請求項２３】
第2の有効成分が、エタネルセプト、イマチニブ、抗TNF-α抗体、インフリキシマブ、G-CSF、GM-CSF、EPO、トポテカン、ペントキシフィリン、シプロフロキサシン、イリノテカン、ビンブラスチン、デキサメタゾン、IL2、IL8、IL18、Ara-C、ビノレルビン、イソトレチノイン、13-cis-レチノイン酸、三酸化ヒ素、またはその薬理学的に有効な変異体もしくは誘導体である、請求項２２に記載の組成物。
【請求項２４】
骨髄異形成症候群が、不応性貧血、環状鉄芽球を伴う不応性貧血、過剰芽球を伴う不応性貧血、急性転化を来たした過剰芽球を伴う不応性貧血、または慢性骨髄単球性白血病である、請求項１３〜２３のいずれか１項に記載の組成物。
【請求項２５】
臍帯血、胎盤血、末梢血幹細胞、造血幹細胞調製物、または骨髄を患者へ移植する前、途中または後に投与される、請求項１３〜２４のいずれか１項に記載の組成物。
【請求項２６】
第2の有効成分がデキサメタゾンである、請求項２３に記載の組成物。
【請求項２７】
組成物を投与される患者が、骨髄異形成症候群について以前には治療を受けていない、請求項１３に記載の組成物。
【請求項２８】
組成物を投与される患者が、骨髄異形成症候群について以前に治療を受けている、請求項１３に記載の組成物。
【請求項２９】
経口投与される、請求項１３に記載の組成物。
【請求項３０】
カプセルまたは錠剤の形状で投与される、請求項２９に記載の組成物。
【請求項３１】
周期的に投与される、請求項１３に記載の組成物。
【請求項３２】
1サイクルが、組成物の投与と、少なくとも1週間、2週間、または3週間の休止を含む、請求項３１に記載の組成物。
【請求項３３】
周期数が、1〜12サイクルである、請求項３１に記載の組成物。
【請求項３４】
溶媒和物が水和物である、請求項１５に記載の組成物。
【請求項３５】
化合物に基づいて1日当たり0.1〜1mgの量で投与される、請求項１９に記載の組成物。
【請求項３６】
化合物に基づいて1日おきに5mgの量で投与される、請求項１９に記載の組成物。
【請求項３７】
約16週間の周期で、毎日1回または2回投与される、請求項１９に記載の組成物。
【請求項３８】
周期が少なくとも1週間、2週間、または3週間の休止を含む、請求項３７に記載の組成物。
【手続補正書】
【提出日】平成21年7月29日(2009.7.29)
【手続補正１】
【補正対象書類名】明細書
【補正対象項目名】発明の名称
【補正方法】変更
【補正の内容】
【発明の名称】カルバゾール誘導体、発光素子用材料として用いられるアントラセン誘導体の作製方法
【手続補正２】
【補正対象書類名】特許請求の範囲
【補正対象項目名】全文
【補正方法】変更
【補正の内容】
【特許請求の範囲】
【請求項１】
一般式（１）で表されるカルバゾール誘導体。
【化１】
2007045816.tif 000001
（式中、Ｒ１は、水素、炭素数１以上４以下のアルキル基、または炭素数１以上１２以下のアリール基の中から選ばれるいずれか一を表す。）
【請求項２】
一般式（１）で表されるカルバゾール誘導体。
【化２】
2007045816.tif 000002
（式中、Ｒ１は、炭素数１以上４以下のアルキル基、または炭素数１以上１２以下のアリール基の中から選ばれるいずれか一を表す。）
【請求項３】
構造式（１）で表されるカルバゾール誘導体。
【化３】
2007045816.tif 000003
【請求項４】
請求項１乃至３のいずれか一に記載のカルバゾール誘導体と、ジフェニルアントラセン骨格を有する化合物と、をカップリング反応させることにより形成することを特徴とする発光素子用材料として用いられるアントラセン誘導体の作製方法。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
ヒトＴＮＦαを抗体と、ヒトＴＮＦα活性が阻害されるように接触させることを含む、ヒトＴＮＦα活性を阻害する方法であって、該抗体はヒトＴＮＦαから１×１０-8 Ｍ以下のＫd 及び１×１０-3 ｓ-1 以下のＫoff 速度定数で解離する単離されたヒト抗体又はその抗原結合部分であって、該Ｋd 及び該Ｋoff は表面プラズモン共鳴により測定されたものであり、該抗体はヒトＴＮＦαの細胞障害性を、標準イン・ビトロＬ９２９アッセイで１×１０-7 Ｍ以下のＩＣ50 で中和する、前記方法。
【請求項２】
SEQ ID NO: 3、SEQ ID NO 4、SEQ ID NO: 11、SEQ ID NO: 12、SEQ ID NO: 13、SEQ ID NO: 14、SEQ ID NO: 15、SEQ ID NO: 16、SEQ ID NO: 17、SEQ ID NO: 18、SEQ ID NO: 19、SEQ ID NO: 20、SEQ ID NO: 21、SEQ ID NO: 22、SEQ ID NO: 23、SEQ ID NO: 24、SEQ ID NO: 25、SEQ ID NO: 26、SEQ ID NO: 27、SEQ ID NO: 28、SEQ ID NO: 29、SEQ ID NO: 30、SEQ ID NO: 31、SEQ ID NO: 32、SEQ ID NO: 33及びSEQ ID NO: 34からなる群より選択されるアミノ酸配列を含む、ＣＤＲ３ドメインをコードする単離された核酸。
【請求項３】
以下の特徴を有する、単離されたヒト抗体又はその抗原結合部分：
ａ）ヒトＴＮＦαから、表面プラズモン共鳴により測定して１×１０-3ｓ-1以下のＫoff速度定数で解離し； 
ｂ）SEQ ID NO:３のアミノ酸配列、又は位置１、４、５、７若しくは８における単一アラニン置換又は位置１、３、４、６、７、８及び／若しくは９におけるにおける１〜５の保存的アミノ酸置換によりSEQ ID NO:３から改変されたアミノ酸配を含む軽鎖ＣＤＲ３ドメインを有し； 
ｃ）SEQ ID NO:４のアミノ酸配列、又は位置２、３、４、５、６、８、９、１０若しくは１１における単一アラニン置換又は位置２、３、４、５、６、８、９、１０、１１及び／若しくは１２における１〜５の保存的アミノ酸置換によりSEQ ID NO:４から改変されたアミノ酸配列を含む重鎖ＣＤＲ３ドメインを有する。
【請求項４】
ヒトＴＮＦαから５×１０-４ｓ-1以下のＫoff速度定数で解離する、請求項３に記載の単離されたヒト抗体又はその抗原結合部分。
【請求項５】
ヒトＴＮＦαから１×１０-４ｓ-1以下のＫoff速度定数で解離する、請求項４に記載の単離されたヒト抗体又はその抗原結合部分。
【請求項６】
ＣＤＲ１ドメインと、ＣＤＲ２ドメインと、ＣＤＲ３ドメインとを含む軽鎖可変領域、および
ＣＤＲ１ドメインと、ＣＤＲ２ドメインと、ＣＤＲ３ドメインとを含む重鎖可変領域、
を含む、単離されたヒト抗体又はその抗原結合部分であって、
ヒトＴＮＦαから６．０９×１０-10Ｍ以下のＫd及び４．３８×１０-5ｓ-1以下のＫoff速度定数で解離し、この両者は表面プラズモン共鳴により測定されたものであり、且つヒトＴＮＦαの細胞障害性を標準イン・ビトロＬ９２９アッセイで１．２５×１０-10Ｍ以下のＩＣ50で中和する、前記単離されたヒト抗体又はその抗原結合部分。
【手続補正書】
【提出日】平成21年6月9日(2009.6.9)
【手続補正１】
【補正対象書類名】特許請求の範囲
【補正対象項目名】請求項１
【補正方法】変更
【補正の内容】
【請求項１】
インク流路系に水性インク又は保存液が充填されるインクジェット記録装置において、インク流路系内で使用されるゴム部材がベースポリマーとしてブチルゴムポリマー、加硫剤として酸化亜鉛、加硫促進剤としてチオウレア系化合物を使用したゴムからなり、
水性インクが少なくとも着色剤、水及び水溶性有機溶剤を含有し、水の含有量が水性インク全重量に対して７０〜８５重量％であり、
保存液が少なくとも水及び水溶性有機溶剤を含有し、水の含有量が保存液全重量に対して７０〜８５重量％であるインクジェット記録装置。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
少なくとも２つの端部（１０ａ）を備え、該端部で他の部品と蝶番式に結合されるように構成された機械部品（１０）であって、機械部品の少なくとも一部は、三次元織布製の、より詳細には、機械部品が動作中に受ける圧縮力に耐える中心繊維プリフォーム（１３）と、三次元織布製の、より詳細には、機械部品が動作中に受ける引張り力に耐える少なくとも１つの周囲繊維プリフォーム（１１）とで構成される複合材料から作られ、前記周囲プリフォームが、前記他の部品との蝶番式結合に専用の２箇所の空所（１４）を、機械部品の端部（１０ａ）で中心繊維プリフォームと周囲繊維プリフォームとの間に残すように、前記中心プリフォームを囲むことを特徴とする、機械部品。
【請求項２】
前記少なくとも１つの周囲繊維プリフォーム（１１）は、両端（１１ａ）が結合される１枚のストリップであることを特徴とする、請求項１に記載の機械部品。
【請求項３】
前記中心繊維プリフォーム（１３）が、特定のＨ形またはＩ形またはＸ形の断面を有することを特徴とする、請求項１または２に記載の機械部品。
【請求項４】
前記空所（１４）に収容される、軸受けを形成するインサート（１６）をさらに備えることを特徴とする、請求項１から３のいずれか一項に記載の機械部品。
【請求項５】
前記中心プリフォームおよび周囲プリフォーム（１１、１３）が、植え込まれた結合糸によってともに結合され、各結合糸が、各プリフォームを少なくとも部分的に貫くことを特徴とする、請求項１から４のいずれか一項に記載の機械部品。
【請求項６】
前記中心プリフォームおよび周囲プリフォーム（１１、１３）が、有機母材、好ましくはエポキシ樹脂中に埋め込まれることを特徴とする、請求項１から５のいずれか一項に記載の機械部品。
【請求項７】
前記機械部品（１０）が、着陸装置ブレース（１）のレバー（２）であることを特徴とする、請求項１から６のいずれか一項に記載の機械部品。
【請求項８】
ブレース（１）を含む着陸装置であって、前記ブレース（１）の少なくとも１つのレバー（２）が、請求項１から７のいずれか一項に記載の機械部品であることを特徴とする、着陸装置。
【請求項９】
少なくとも２つの端部（１０ａ）を備え、該端部で他の部品と蝶番式に結合されるように構成された機械部品（１０）の製造方法であって、中心繊維プリフォームと少なくとも１つの周囲繊維プリフォームとを三次元製織するステップと、前記他の部品との蝶番式結合に専用の２箇所の空所（１４）を、機械部品の端部（１０ａ）で中心繊維プリフォームと周囲繊維プリフォームとの間に残すように、前記中心プリフォーム（１３）の周囲に前記周囲プリフォーム（１１）を配置するステップと、乾燥している前記繊維プリフォームに母材形成樹脂を含浸させるステップとを含むことを特徴とする、方法。
【請求項１０】
前記中心プリフォームおよび周囲プリフォーム（１１、１３）が、乾燥時にともに組み立てられることを特徴とする、請求項９に記載の機械部品の製造方法。
【請求項１１】
前記中心プリフォームおよび周囲プリフォームが、結合糸を植え込むことによってともに組み立てられ、各結合糸が、各プリフォームを少なくとも部分的に貫くようにして植え込まれることを特徴とする、請求項１０に記載の機械部品の製造方法。
【請求項１２】
インサート（１６）が、含浸ステップに先立って前記空所（１４）内に配置されることを特徴とする、請求項９から１１のいずれか一項に記載の機械部品の製造方法。
【請求項１３】
前記中心プリフォームおよび周囲プリフォームが、前記機械部品の形状に対応する全体形状の金型内に置かれて、前記樹脂が、前記金型内に注入されることを特徴とする、請求項９から１２のいずれか一項に記載の機械部品の製造方法。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
センター、カバー層およびこれらセンターおよびカバーの間の少なくとも２つの中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．００３だけ小さく、
上記サブアッセンブリは少なくともセンターを有し、
上記センターの反発係数の値は０．８００未満であることを特徴とする多層ゴルフボール。
【請求項２】
センター、カバー層およびこれらセンターおよびカバーの間の少なくとも２つの中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．００３だけ小さく、
上記サブアッセンブリは少なくともセンターを有し、
１のサブアッセンブリからつぎに大きいサブアッセンブリへの反発係数の変化が、当該つぎに大きいサブアッセンブリの厚さ当たりで、１０００分の２．５４ｃｍ（１インチ）あたり０．０００１０未満であることを特徴とする多層ゴルフボール。
【請求項３】
センター、カバー層およびこれらセンターおよびカバーの間の１の中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．０１５だけ小さく、
上記サブアッセンブリは少なくともセンターを有し、
１のサブアッセンブリからつぎに大きいサブアッセンブリへの反発係数の変化が、当該つぎに大きいサブアッセンブリの厚さ当たりで、１０００分の２．５４ｃｍ（１インチ）あたり０．０００２０未満であることを特徴とする多層ゴルフボール。
【請求項４】
各サブアッセンブリの総反発係数の値が、当該サブアッセンブリに、つぎの外側の層を加えたものの総反発係数の値より、少なくとも、０．０１８だけ小さい請求項３記載の多層ゴルフボール。
【請求項５】
各サブアッセンブリの総反発係数の値が、当該サブアッセンブリにつぎの外側の層を加えたものの総反発係数の値より、少なくとも、０．０２０だけ小さい請求項３記載の多層ゴルフボール。
【請求項６】
反発係数の上記変化が１０００分の２．５４ｃｍ（１インチ）あたり０．０００３０未満である請求項３記載の多層ゴルフボール。
【請求項７】
反発係数の上記変化が１０００分の２．５４ｃｍ（１インチ）あたり０．０００４０未満である請求項２７記載の多層ゴルフボール。
【請求項８】
センター、カバー層およびこれらセンターおよびカバーの間の少なくとも２つの中間層を具備する多層ゴルフボールにおいて、
当該ゴルフボールの各サブアッセンブリの総反発係数の値が、上記センターについてＣＯＲＣ、上記センターに隣接する第１の中間層を伴う第１のサブアッセンブリについてＣＯＲＣ１、上記第１の中間層に隣接する第２の中間層を伴う第２のサブアッセンブリについてＣＯＲＣ２、上記カバーを含む上記ゴルフボールについてＣＯＲＣ３とすると、
ＣＯＲＣ≦ＣＯＲＣ１−０．００３、
ＣＯＲＣ１≦ＣＯＲＣ２−０．００３、
ＣＯＲＣ２≦ＣＯＲＣ３−０．００３
を満たし、かつ、
ＣＯＲＣが０．７８０より小さく、ＣＯＲＣ３が少なくとも０．８０５であることを特徴とする多層ゴルフボール。
【請求項９】
センター、カバー層およびこれらセンターおよびカバーの間の少なくとも２つの中間層を具備する多層ゴルフボールにおいて、
当該ゴルフボールの各サブアッセンブリの総反発係数の値が、上記センターについてＣＯＲＣ、上記センターに隣接する第１の中間層を伴う第１のサブアッセンブリについてＣＯＲＣ１、上記第１の中間層に隣接する第２の中間層を伴う第２のサブアッセンブリについてＣＯＲＣ２、上記カバーを含む上記ゴルフボールについてＣＯＲＣ３とすると、
ＣＯＲＣ≦ＣＯＲＣ１−０．００３、
ＣＯＲＣ１≦ＣＯＲＣ２−０．００３、
ＣＯＲＣ２≦ＣＯＲＣ３−０．００３
を満たし、かつ、
ＣＯＲＣが０．７８０より小さく、さらに、
１のサブアッセンブリからつぎに大きいサブアッセンブリへの反発係数の変化が、当該つぎに大きいサブアッセンブリの厚さ当たりで、少なくとも１０００分の２．５４ｃｍ（１インチ）あたり少なくとも０．０００１５であることを特徴とする多層ゴルフボール。
【請求項１０】
反発係数の上記変化が１０００分の２．５４ｃｍ（１インチ）あたり少なくとも０．０００２５である請求項９記載の多層ゴルフボール。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
センター、カバー層およびこれらセンターおよびカバーの間の少なくとも２つの中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．００３だけ大きく、
上記サブアッセンブリは少なくともセンターを有し、
上記センターの反発係数の値は少なくとも０．８１５であることを特徴とする多層ゴルフボール。
【請求項２】
センター、カバー層およびこれらセンターおよびカバーの間の少なくとも２つの中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．００３だけ小さく、
上記サブアッセンブリは少なくともセンターを有し、
１のサブアッセンブリからつぎに大きいサブアッセンブリへの反発係数の変化が、当該つぎに大きいサブアッセンブリの厚さ当たりで、１０００分の２．５４ｃｍ（１インチ）あたり少なくとも０．０００１５であることを特徴とする多層ゴルフボール。
【請求項３】
センター、カバー層およびこれらセンターおよびカバーの間の少なくとも２つの中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．００３だけ大きく、
上記サブアッセンブリは少なくともセンターを有し、
上記センターは、ポリマー上の酸基、適切なカチオン源、有機酸またはその塩の間の反応から生成される高度に中和されたポリマーを有し、
上記適切なカチオン源の量は、上記酸基を少なくとも１００％中和するに足るものであり、
上記適切なカチオン源は、マグネシウム、ナトリウム、亜鉛、リチウム、カリウム、およびカルシウムからなるグループから選択され、
上記有機酸またはその塩は、オレイン酸、オレイン酸の塩、ステアリン酸、ステアリン酸の塩、ベヘン酸、ベヘン酸の塩、およびこれらの組み合わせからなるグループから選択されることを特徴とする多層ゴルフボール。
【請求項４】
センター、カバー層およびこれらセンターおよびカバーの間の１の中間層を具備する多層ゴルフボールにおいて、
当該ゴルフボールの各サブアッセンブリの総反発係数の値が、当該サブアッセンブリにつぎの外側の層を加えたものの総反発係数の値より、少なくとも、０．００４だけ大きく、
上記サブアッセンブリは少なくともセンターを有し、
１のサブアッセンブリからつぎに大きいサブアッセンブリへの反発係数の変化が、当該つぎに大きいサブアッセンブリの厚さ当たりで、１０００分の２．５４ｃｍ（１インチ）あたり少なくとも０．０００１５であることを特徴とする多層ゴルフボール。
【請求項５】
反発係数の上記変化が１０００分の２．５４ｃｍ（１インチ）あたり少なくとも０．０００２５である請求項４記載の多層ゴルフボール。
【請求項６】
反発係数の上記変化が１０００分の２．５４ｃｍ（１インチ）あたり少なくとも０．０００３５である請求項４記載の多層ゴルフボール。
【請求項７】
センター、カバー層およびこれらセンターおよびカバーの間の少なくとも２つの中間層を具備する多層ゴルフボールにおいて、
当該ゴルフボールの各サブアッセンブリの総反発係数の値が、上記センターについてＣＯＲＣ、上記センターに隣接する第１の中間層を伴う第１のサブアッセンブリについてＣＯＲＣ１、上記第１の中間層に隣接する第２の中間層を伴う第２のサブアッセンブリについてＣＯＲＣ２、上記カバーを含む上記ゴルフボールについてＣＯＲＣ３とすると、
ＣＯＲＣ≧ＣＯＲＣ１＋０．００４、
ＣＯＲＣ１≧ＣＯＲＣ２＋０．００４、
ＣＯＲＣ２≧ＣＯＲＣ３＋０．００４
を満たし、かつ、
ＣＯＲＣが少なくとも０．８１５であることを特徴とする多層ゴルフボール。
【請求項８】
センター、カバー層およびこれらセンターおよびカバーの間の少なくとも２つの中間層を具備する多層ゴルフボールにおいて、
当該ゴルフボールの各サブアッセンブリの総反発係数の値が、上記センターについてＣＯＲＣ、上記センターに隣接する第１の中間層を伴う第１のサブアッセンブリについてＣＯＲＣ１、上記第１の中間層に隣接する第２の中間層を伴う第２のサブアッセンブリについてＣＯＲＣ２、上記カバーを含む上記ゴルフボールについてＣＯＲＣ３とすると、
ＣＯＲＣ≧ＣＯＲＣ１＋０．００４、
ＣＯＲＣ１≧ＣＯＲＣ２＋０．００４、
ＣＯＲＣ２≧ＣＯＲＣ３＋０．００４
を満たし、かつ、
ＣＯＲＣが少なくとも０．８１５であり、
１のサブアッセンブリからつぎに大きいサブアッセンブリへの反発係数の変化が、当該つぎに大きいサブアッセンブリの厚さ当たりで、少なくとも１０００分の２．５４ｃｍ（１インチ）あたり少なくとも０．０００１５であることを特徴とする多層ゴルフボール。
【請求項９】
反発係数の上記変化が１０００分の２．５４ｃｍ（１インチ）あたり少なくとも０．０００２５である請求項８記載の多層ゴルフボール。
【請求項１０】
反発係数の上記変化が１０００分の２．５４ｃｍ（１インチ）あたり少なくとも０．０００３５である請求項８記載の多層ゴルフボール。
【手続補正書】
【提出日】平成20年12月19日(2008.12.19)
【手続補正１】
【補正対象書類名】明細書
【補正対象項目名】００１０
【補正方法】変更
【補正の内容】
【００１０】
これらのＹ型およびＴ型コネクタの不都合は、液体がＹ型およびＴ型コネクタに流入する速度を制御できないことである。さらに、Ｙ型またはＴ型コネクタを介して投与される薬剤および液体はＩＶセットのチューブ内を既に流れている液体と完全には混ざり合わないことがあり、これがある種の用途では問題となり得る。
【特許文献１】米国特許第６，２６１，２６７号明細書
【特許文献２】米国特許第５，７７９，６７４号明細書
【特許文献３】米国特許第５，４８９，３８５号明細書
【特許文献４】米国特許第５，４２３，３４６号明細書
【特許文献５】米国特許第４，６８５，９１２号明細書
【特許文献６】米国特許第４，０１３，０７２号明細書
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
対象体の放射線画像に関するメタデータを前記放射線画像に組み合わせる方法であって、
前記対象体の照射時刻を示す第１のタイムスタンプＴ１を作成するステップと、
前記放射線画像による画像検知器の曝露時刻を示す第２のタイムスタンプＴ２を作成するステップと、
所定の限度内で第１のタイムスタンプＴ１が第２のタイムスタンプＴ２に近似するならば前記メタデータを前記放射線画像と組み合わせるステップと、
を有することを特徴とする方法。
【請求項２】
第２のタイムスタンプＴ２が、照射された対象体により放出された放射線の２次放出の検知時刻である請求項１による方法。
【請求項３】
前記第２のタイムスタンプＴ２が、前記画像検知器により作られた２次放出の検知時刻である請求項１による方法。
【請求項４】
前記第２のタイムスタンプＴ２が、前記放射線検知器による高エネルギー放射線の検知時刻である請求項１による方法。
【請求項５】
前記第２のタイムスタンプＴ２が、ＥＭＩ波の検知時刻と一致する請求項１による方法。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
表面を有する構造部材を備える医学装置において、前記表面の少なくとも一部は、少なくとも約２５ミクロンメートルの厚みのナノ組織材料によって被覆され、前記ナノ組織材料は、セラミック、セラミック複合材料、セラミック／金属複合材料、又はこれらの少なくとも１つを含む組合せを備えていることを特徴とする医学装置。
【請求項２】
人工移植片であることを特徴とする請求項１に記載の医学装置。
【請求項３】
前記人工移植片は、関節式継手又は柔軟性ヒンジ継手の少なくとも一部を備えていることを特徴とする請求項２に記載の医学装置。
【請求項４】
前記関節式継手は、膝、腰、肘、足首、脊椎、肩、又は手首の関節の部分的置換又は完全置換に用いられ、前記柔軟性ヒンジ継手は、シラスティク関節又はＭＰ関節の部分的置換又は完全置換に用いられていることを特徴とする請求項３に記載の医学装置。
【請求項５】
前記構造部材は、合金、セラミック、又はポリマーから形成されていることを特徴とする請求項１、２または３に記載の医学装置。
【請求項６】
前記合金構造部材は、ステンレス鋼合金、チタン合金、ジルコニウム合金、コバルト−クロム−モリブデン合金、又はこれらの合金の少なくとも１つを含む組合せであり、前記セラミック構造部材は、アルミナ、ジルコニア、チタニア、クロミア、又はこれらのセラミックの少なくとも１つを含む組合せであり、前記ポリマー構造部材は、ポリエチレンであることを特徴とする請求項５に記載の医学装置。
【請求項７】
前記ポリマー構造部材は、繊維、微粒子、又はこれらの少なくとも１つを含む組合せによって補強されていることを特徴とする請求項５または６に記載の医学装置。
【請求項８】
前記合金構造部材の前記表面と前記ナノ組織材料との間に配置される酸化された層をさらに備えていることを特徴とする請求項５または６に記載の医学装置。
【請求項９】
前記ナノ組織セラミック材料は、硬質相金属酸化物、金属炭化物、ダイヤモンド、金属窒化物、金属硼化物、又はこれらの少なくとも１つを含む組合せであり、前記ナノ組織セラミック複合材料は、前記セラミック複合材料の全体積に基づいて、少なくとも５１体積％の硬質相セラミック材料と、結合剤相とを含み、前記結合剤相は、ＳｉＯ２、ＣｅＯ２、Ｙ２Ｏ３、ＴｉＯ２、又はこれらの少なくとも１つを含む組合せを含んでおり、前記ナノ組織セラミック／金属複合材料は、ＷＣ／Ｃｏ、ＴｉＣ／Ｎｉ、ＴｉＣ／Ｆｅ、Ｎｉ（Ｃｒ）／Ｃｒ３Ｃ２、ＷＣ／ＣｏＣｒ、又はこれらの少なくとも１つを含む組合せを含んでいることを特徴とする請求項１に記載の医学装置。
【請求項１０】
前記ナノ組織材料は、約５００ナノメートル以下の平均最長粒子径を有しており、前記ナノ組織材料の厚みは、約３ミリメートル以下であることを特徴とする請求項１または９に記載の医学装置。
【請求項１１】
第１表面を有する第１構造部材と第２表面を有する第２構造部材を備える医学装置において、前記第１及び第２表面の片方又は両方の少なくとも一部は、少なくとも約２５ミクロンメートルの厚みのナノ組織材料によって被覆されていることを特徴とする医学装置。
【請求項１２】
関節式継手又は柔軟性ヒンジ継手であることを特徴とする請求項１１に記載の医学装置。
【請求項１３】
前記関節式継手は、膝、腰、肘、足首、脊椎、肩、又は手首の関節の部分的置換又は完全置換に用いられ、前記柔軟性ヒンジ継手は、シラスティク関節又はＭＰ関節の部分的置換又は完全置換に用いられていることを特徴とする請求項１２に記載の医学装置。
【請求項１４】
前記第１及び第２構造部材の片方又は両方は、合金、セラミック、ポリマー、又は軟骨から形成されていることを特徴とする請求項１１または１２に記載の医学装置。
【請求項１５】
前記合金は、ステンレス鋼合金、チタン合金、ジルコニウム合金、コバルト−クロム−モリブデン合金、又はこれらの合金の少なくとも１つを含む組合せであり、前記セラミックは、アルミナ、ジルコニア、チタニア、クロミア、又はこれらのセラミックの少なくとも１つを含む組合せであり、前記ポリマーは、ポリエチレンであることを特徴とする請求項１４に記載の医学装置。
【請求項１６】
前記ポリマーは、繊維、微粒子、又はこれらの少なくとも１つを含む組合せによって補強されていることを特徴とする請求項１４または１５に記載の医学装置。
【請求項１７】
前記第１及び第２表面は、旋回自在に係合可能であることを特徴とする請求項１１に記載の医学装置。
【請求項１８】
前記ナノ組織材料は、セラミック、セラミック複合材料、セラミック／金属複合材料、又はこれらの少なくとも１つを含む組合せであることを特徴とする請求項１１または１４に記載の医学装置。
【請求項１９】
前記セラミックは、硬質相金属酸化物、金属炭化物、ダイヤモンド、金属窒化物、金属硼化物、又はこれらの少なくとも１つを含む組合せであり、前記ナノ組織セラミック複合材料は、前記セラミック複合材料の全体積に基づいて、少なくとも５１体積％の硬質相セラミック材料と、結合剤相とを含み、前記結合剤相は、ＳｉＯ２、ＣｅＯ２、Ｙ２Ｏ３、ＴｉＯ２、又はこれらの少なくとも１つを含む組合せを含んでおり、前記ナノ組織セラミック／金属複合材料は、ＷＣ／Ｃｏ、ＴｉＣ／Ｎｉ、ＴｉＣ／Ｆｅ、Ｎｉ（Ｃｒ）／Ｃｒ３Ｃ２、ＷＣ／ＣｏＣｒ、又はこれらの少なくとも１つを含む組合せを含んでいることを特徴とする請求項１８に記載の医学装置。
【請求項２０】
前記ナノ組織材料は、約５００ナノメートル以下の平均最長粒子径を有しており、前記ナノ組織材料の厚みは、約３ミリメートル以下であることを特徴とする請求項１１、１８または１９に記載の医学装置。
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
画像表示手段を備えた遊技機において、
前記遊技機には、
前記遊技機の遊技状態を制御する主制御手段と、
前記主制御手段から出力された演出制御指令信号に基づいて遊技演出を制御する副制御手段と、
前記副制御手段から出力された表示制御指令信号に基づいて前記画像表示手段を制御する表示制御手段と、を備え、
前記主制御手段は、
前記演出制御指令処理を行う第１の演算処理手段と、
遊技制御プログラムが記憶された遊技制御プログラム記憶手段と、
遊技制御データが一時記憶される遊技制御データ一時記憶手段と、
を備え、
前記表示制御手段は、
前記表示制御指令信号に基づく表示制御処理を実行する第２の演算処理手段と、
前記表示制御処理を実行するための表示制御プログラムが記憶された表示制御プログラム記憶手段と、
表示制御用データが一時記憶される表示制御用データ一時記憶手段と、
画像データが記憶された画像データ記憶手段と、
前記第２の演算処理手段の指示に従って、画像を前記画像表示手段に表示させる画像処理を行う画像処理手段と、
前記画像処理手段が画像処理に用いるために、前記画像データ記憶手段から読み出された画像データが一時的に記憶される画像表示データ一時記憶手段と
を備え、
前記画像データ記憶手段は、ＮＡＮＤ型フラッシュメモリと調停回路とを一体的に含んで、キャラクタＲＯＭとして機能し、
前記ＮＡＮＤ型フラッシュメモリは、それぞれに前記画像データが記憶される複数のデータブロックで構成されるとともに、前記複数のデータブロック中に不良データブロックが存在する場合において、前記不良データブロックに隣接する第１データブロックに記憶された第１画像データに関連する第２画像データが、本来なら記憶されるべきブロックである前記不良データブロックを避けた状態で、前記不良データブロックに隣接し、前記第１データブロックとは異なる第２データブロックに記憶されており、
前記画像処理手段は、前記第２の演算処理手段からの指示に基づいて前記画像データ記憶手段に画像データ読み出し要求を出力し、
該画像データ読み出し要求に応じて、前記調停回路が、前記第１データブロックに記憶された前記第１画像データの次に、不良データブロックをとばして、前記第２データブロックに記憶された前記第２画像データを読み出すことによって、前記画像表示データ一時記憶手段には複数のデータブロックの間で整然と画像データが記憶され、
前記画像処理手段は、前記画像表示データ一時記憶手段の整然と並んだ画像データを用いて画像処理を行うことが可能であることを特徴とする
遊技機。
【請求項２】
請求項１に記載の遊技機であって、
前記画像処理手段は、前記画像データ記憶手段に、複数種類の画像データに関する画像データ読み出し要求を出力し、
前記画像処理手段は、前記画像データ読み出し要求により一括して読み出された複数種類の画像データを用いて画像処理を行うことを特徴とする
遊技機。